(57)【要約】【課題】  燃焼性能を従来以上に向上させることによって、ＣＯや煤塵の発生量を低減することのできる燃焼装置を提供する。【解決手段】  円筒形のウインドボックス１と、ウインドボックス１の中心軸部分にバーナを設けており、燃焼用空気は送風機からウインドボックスを経由してバーナ部へ送り込むことで燃焼を行う燃焼装置であって、送風機からウインドボックスへ空気を供給する送風路２に設けたダンパ４によって燃焼用空気の供給量を調節している燃焼装置において、送風路２の側壁面がウインドボックス１の円筒側壁面とつながるように、ウインドボックスの接線方向に送風路２を接続しておき、送風路２に設けるダンパ４はダンパ板の中心から外れた位置に回転軸５をもつ偏心のダンパとし、ダンパ回転軸がウインドボックスの接線方向延長側と対面する送風路側壁面の近くになるように、ダンパを設置する。【選択図】図１
2006125692.tif 000002
【特許請求の範囲】
【請求項１】
円筒形のウインドボックスと、ウインドボックスの中心軸部分にバーナを設けており、燃焼用空気は送風機からウインドボックスを経由してバーナ部へ送り込むことで燃焼を行う燃焼装置であって、送風機からウインドボックスへ空気を供給する送風路に設けたダンパによって燃焼用空気の供給量を調節している燃焼装置において、送風路の側壁面がウインドボックスの円筒側壁面とつながるように、ウインドボックスの接線方向に送風路を接続しておき、送風路に設けるダンパはダンパ板の中心から外れた位置に回転軸をもつ偏心のダンパとし、ダンパ回転軸がウインドボックスの接線方向延長側と対面する送風路側壁面の近くになるように、ダンパを設置することを特徴とする旋回燃焼を行う燃焼装置。
【請求項２】
請求項１に記載の旋回燃焼を行う燃焼装置において、バーナ部には、ウインドボックス内における燃焼用空気の旋回方向と同じ方向に燃焼用空気を旋回させる旋回手段を設けることを特徴とする旋回燃焼を行う燃焼装置。
【発明の詳細な説明】
【技術分野】
【０００１】
本発明は旋回燃焼を行う燃焼装置に関するものである。
【背景技術】
【０００２】
燃焼用空気を送風機によって押し込みながら燃焼を行う燃焼装置の場合、送風機からの空気を整流するウインドボックスを設けておき、ウインドボックスを経由してバーナ部へ燃焼用空気を供給する。バーナ部へ供給する燃焼用空気量の調節は、送風機とウインドボックスを結ぶ送風路にダンパを設けておき、ダンパの開度を調節することで行っている。ダンパは実公平４−５８７７号公報にも記載しているように、送風路の開度を変更するダンパ板と、ダンパ板を回転させる回転軸からなり、燃焼量に応じてダンパ板を回転させることで燃焼用空気供給量を調節する。
【０００３】
燃焼を行うと、ＣＯや煤塵が発生するが、ＣＯや煤塵の発生量は低減することが望まれている。燃焼装置でのＣＯや煤塵の発生量を低減するには、供給空気量を適切にするとともに、燃料と燃焼用空気を十分に混合して燃焼性を高める必要がある。そのため、バーナ先端に空気流を旋回させるスリットを設けたじゃま板を設置するなどしておき、燃焼部へ供給する空気に旋回流を与えることで燃料との混合性を良くし、火炎を旋回させながら燃焼させるということが行われている。しかし、じゃま板等による旋回流のみでは旋回力の向上に限界があり、燃焼性能をさらに向上させることはできなかった。
【特許文献１】実公平４−５８７７号公報
【発明の開示】
【発明が解決しようとする課題】
【０００４】
本発明が解決しようとする課題は、燃焼性能を従来以上に向上させることによって、ＣＯや煤塵の発生量を低減することのできる燃焼装置を提供することにある。
【課題を解決するための手段】
【０００５】
請求項１に記載の発明は、円筒形のウインドボックスと、ウインドボックスの中心軸部分にバーナを設けており、燃焼用空気は送風機からウインドボックスを経由してバーナ部へ送り込むことで燃焼を行う燃焼装置であって、送風機からウインドボックスへ空気を供給する送風路に設けたダンパによって燃焼用空気の供給量を調節している燃焼装置において、送風路の側壁面がウインドボックスの円筒側壁面とつながるように、ウインドボックスの接線方向に送風路を接続しておき、送風路に設けるダンパはダンパ板の中心から外れた位置に回転軸をもつ偏心のダンパとし、ダンパ回転軸がウインドボックスの接線方向延長側と対面する送風路側壁面の近くになるように、ダンパを設置することを特徴とする旋回燃焼を行う燃焼装置である。
【０００６】
請求項２に記載の発明は、前記の旋回燃焼を行う燃焼装置において、バーナ部には、ウインドボックス内における燃焼用空気の旋回方向と同じ方向に燃焼用空気を旋回させる旋回手段を設けることを特徴とする。
【発明の効果】
【０００７】
本発明を実施することによって、燃焼部における空気の旋回力が大きくなり、燃焼性能を高めることができるため、ＣＯや煤塵の発生量を低減することができるようになる。
【発明を実施するための最良の形態】
【０００８】
本発明の一実施例を図面を用いて説明する。図１は本発明を実施している燃焼装置の一部を抜き出した一部透過の斜視図、図２は図１のＡ−Ａ断面による平面図、図３は燃焼装置先端に設けるじゃま板部分の一部断面斜視図である。
【０００９】
燃焼装置には、円筒形のウインドボックス１と、ウインドボックス１の中心軸部分にバーナ（図示せず）を設ける。ウインドボックス１内には、ウインドボックス１と同心の円筒であって、図１では下方へ延びている燃焼筒３を接続している。燃焼筒３内の先端部には、燃焼筒３内を流れてくる燃焼用空気を分散して燃焼部へ供給するためのじゃま板６や、燃料を噴射する燃料噴射ノズルなどを設けておく。
【００１０】
ウインドボックス１には、図示していない送風機から燃焼用空気を供給してくる送風路２を接続しており、送風路２の途中には燃焼用空気供給量を調節するダンパ４を設けておく。送風路２は断面が略四角形であって、片方の側壁面（図１では奥側の側壁面）がウインドボックス１の円筒側壁面とつながるように、ウインドボックス１の接線方向に送風路２を接続する。送風路２に設けるダンパ４は、ダンパ板の一端側に回転軸５をもつ偏心のダンパとし、ウインドボックス１の接線方向延長側に当たる送風路２の側壁面と対面するもう一方の側壁面（図１では手前側の側壁面）の近くにダンパ４の回転軸５を設置する。
【００１１】
ダンパ４は、ダンパ板の根元側に設置している回転軸５を回転させることで、送風路２の流路面積を変更するものであり、送風路２の流路面積を大きくする場合には、ダンパ板の先端側が空気流の流れと同じ方向へ移動するように回転軸５を回転する。ダンパ板を送風路２内で斜めにした場合、送風機（図示せず）から送風路２内へ送られてきた空気はダンパ板の表面に沿って流れ、ウインドボックス１の接線方向に延長した側の送風路側壁面とダンパ板先端の間にできる開口部へと流れる。そのため、ダンパ４より下流側では、ウインドボックス１の接線方向に延長した側の送風路側壁面に沿って多くの空気が流れ、該側壁面に沿って流れている空気流はウインドボックス１内に入ると、ウインドボックス１の円筒形である側壁面に沿って流れるため、空気流に旋回力が与えられる。
【００１２】
ダンパの中央部に回転軸５を設けているダンパの場合、ダンパを開くとダンパ板は送風路２の中央部をふさぎ、２つの側壁面とダンパ板先端の間にできる２つの開口部から空気が流れることになっていた。この場合、空気はウインドボックス１の接線方向に延長した側の送風路側壁面に沿って流れる流れと、もう一方の側壁面に沿う流れに別れるため、ウインドボックス１部分での旋回力は強くならなかった。しかし、ダンパを偏心し、空気流をウインドボックス１の接線方向に延長した側の送風路側壁面に集中すると、ウインドボックス１の円筒側壁面に向かう空気流の流れが強まり、円筒側壁面に沿う流れがウインドボックス１内での旋回流となるため、旋回力が強くなる。
【００１３】
ウインドボックス１内で旋回している空気流は、やがてウインドボックス１の中心部分に設けている燃焼筒３内に入り、燃焼筒３内でも旋回を継続する。燃焼筒３の先端部には、燃焼部へ供給する燃焼用空気を分散させるじゃま板６を設けており、じゃま板６には燃焼部へ供給する空気を旋回させる手段としてスリット７を複数個設けておく。じゃま板６のスリット７には、ウインドボックス１内で燃焼用空気が旋回していた方向と同方向に旋回するように入口側と出口側の位置をずらしておき、ウインドボックス１内での旋回流がじゃま板６より先の燃焼部まで続くようにしておく。また、燃焼筒３の先端部には、燃料を噴射する燃焼噴射ノズルや、点火用の火花を発する点火装置なども設置しておき、じゃま板６のスリット７から吹き出した燃焼用空気流に燃焼を噴射することで燃焼筒３の下流側で火炎の燃焼を行う。
【００１４】
バーナ先側の燃焼部では、強い旋回流を持った燃焼用空気流に燃料を噴射するため、燃料と燃焼用空気の混合は良好となる。そして、火炎は旋回しながら燃焼し、燃焼性が向上するため、ＣＯや煤塵の発生量を減少することができる。
【図面の簡単な説明】
【００１５】
【図１】本発明を実施している燃焼装置の一部を抜き出した一部透過の斜視図
【図２】図１のＡ−Ａ断面による平面図
【図３】燃焼装置先端に設けるじゃま板部分の一部断面斜視図
【符号の説明】
【００１６】
１  ウインドボックス        
２  送風路      
３  燃焼筒        
４  ダンパ      
５  回転軸            
６  じゃま板        
７  スリット      
【図１】
2006125692.tif 000003
【図２】
2006125692.tif 000004
【図３】
2006125692.tif 000005